【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
１つ以上の発色団の濃度と、前記１つ以上の発色団の前記濃度を含む、皮膚の外見上の色を示すデータとの関係を定義する変換データを用いて、表される人物の皮膚での少なくとも１つの発色団の分布を決定するよう前記人物の受信画像を処理するよう動作する分布決定モジュールと、
前記分布決定モジュールによって決定された前記少なくとも１つの発色団の分布を用いて、照明状態に起因する外見の変化、及びコラーゲンの厚さの変化がないときに人物の外見を表す派生画像を生成し、且つ、１つ以上の発色団の決定された濃度を含む所定の照明状態の下で見られる肌の外見上の色と所定の厚さのコラーゲンとの関係を定義する逆変換データを生成するよう動作する画像生成モジュールと、
前記画像生成モジュールによって決定された派生画像と、該派生画像を決定するために用いられる人物の画像を表す受信画像データとの比較に基づいて、前記表される人物の皮膚での前記少なくとも１つの発色団の分布以外の他の要因による当該人物の皮膚の外見の変化を決定するよう動作する変動決定モジュールと
を有する画像処理装置。
【請求項２】
前記分布決定モジュールは、前記表される人物の皮膚の前記少なくとも１つの発色団の分布を決定するよう、前記人物の画像を表す受信画像データを処理するよう動作し、
前記少なくとも１つの発色団は、血液、メラニン、コラーゲン、ビリルビン、刺青剤又は染色剤、ケラチン、及び体毛のリストから選択される少なくとも１つの発色団を有する、請求項１に記載の画像処理装置。
【請求項３】
前記分布決定モジュールは、前記表される人物の皮膚での血液及びメラニンの分布を決定するよう、前記人物の画像を表す受信画像データを処理するよう動作する、請求項２に記載の画像処理装置。
【請求項４】
前記人物を表す画像データを取得するカメラと、
前記人物を偏光した光で照らす光源と、
前記光源によって生成された偏光した光にフィルタをかける偏光フィルタと
を有し、
前記カメラは、前記偏光フィルタを介し前記光源によって照らされた人物を表す画像データを取得するように構成されている、請求項１乃至３のうちいずれか一項に記載の画像処理装置。
【請求項５】
前記カメラは、前記偏光フィルタを介し前記光源によって照らされた人物の画像データと、前記偏光フィルタを外したときに前記光源によって照らされた人物を表す画像データとを取得し、
前記分布決定モジュールは、前記偏光フィルタを介して前記光源によって照らされた前記人物の前記画像データを処理し、
前記変動決定モジュールは、前記偏光フィルタを外したときに前記光源によって照らされた前記人物を表す前記画像データを使用して、前記表される人物の皮膚での前記少なくとも１つの発色団の分布以外の要因による当該人物の皮膚の外見の変化を決定する、請求項４に記載の画像処理装置。
【請求項６】
改訂された発色団の分布を表すデータを生成するよう、前記分布決定モジュールによって決定された前記少なくとも１つの発色団の決定された分布を処理するよう動作する処理シミュレーションモジュールと、
出力画像を生成するよう動作するシミュレーション処理画像出力モジュールと
を更に有し、
前記画像生成モジュールは、前記処理シミュレーションモジュールによって決定された前記改訂された発色団の分布を用いて、照明状態に起因する外見の変化、及びコラーゲンの厚さの変化がないときに人物の外見を表す処理画像データを生成するよう動作し、
前記シミュレーション処理画像出力モジュールは、前記画像生成モジュールによって生成された前記処理画像データと、前記変動決定モジュールによって決定された前記表される人物の皮膚での前記少なくとも１つの発色団の分布以外の他の要因による当該人物の皮膚の外見の変化とを用いて出力画像を生成するよう動作する、請求項１乃至５のうちいずれか一項に記載の画像処理装置。
【請求項７】
前記処理シミュレーションモジュールは、１つ以上の発色団の過剰な濃度を特定し、特定された発色団の過剰な濃度をくすませる機能を働かせることによってこの検出された過剰な濃度を減らすように処理することによって、前記改訂された発色団の分布を表すデータを生成するように、前記少なくとも１つの発色団の決定された分布を処理する、請求項６に記載の画像処理装置。
【請求項８】
１つ以上の発色団の濃度と、前記１つ以上の発色団の前記濃度を含む、皮膚の外見上の色を示すデータとの関係を定義する変換データを用いて、表される人物の皮膚での少なくとも１つの発色団の分布を決定するステップと、
前記少なくとも１つの発色団の決定された分布を用いて、照明状態に起因する外見の変化、及びコラーゲンの厚さの変化がないときに人物の外見を表す派生画像を生成し、且つ、１つ以上の発色団の決定された濃度を含む所定の照明状態の下で見られる肌の外見上の色と所定の厚さのコラーゲンとの関係を定義する逆変換データを生成するステップと、
決定された前記派生画像と、該派生画像を決定するために用いられる人物の画像を表す受信画像データとの比較に基づいて、前記表される人物の皮膚での前記少なくとも１つの発色団の分布以外の他の要因による当該人物の皮膚の外見の変化を決定するステップと
を有する画像処理方法。
【請求項９】
前記少なくとも１つの発色団は、血液、メラニン、コラーゲン、ビリルビン、刺青剤又は染色剤、ケラチン、及び体毛のリストから選択される少なくとも１つの発色団を有する、請求項８に記載の画像処理方法。
【請求項１０】
前記表される人物の皮膚での少なくとも１つの発色団の分布を決定するよう受信画像データを処理するステップは、前記表される人物の皮膚での血液及びメラニンの分布を決定するよう前記受信画像データを処理するステップを有する、請求項９に記載の画像処理方法。
【請求項１１】
偏光した光を発生する光源からの偏光した光を人物に照射するステップと、
前記光源によって生成される光と同じ偏光を有する光にフィルタをかける偏光フィルタを介して観測される、前記偏光した光を照射される前記人物を表す画像データを取得するステップと
を有する、請求項８乃至１０のうちいずれか一項に記載の画像処理方法。
【請求項１２】
前記偏光フィルタを外したときに前記偏光した光を照射される前記人物を表す画像データを取得するステップを更に有し、
前記皮膚での少なくとも１つの発色団の分布を決定するよう受信画像データを処理するステップは、前記光源によって生成される光と同じ偏光を有する光にフィルタをかける偏光フィルタを介して観測される、前記偏光した光を照射される前記人物を表す画像データを取得するステップを有し、
前記少なくとも１つの発色団の分布以外の要因による当該人物の皮膚の外見の変化を決定するステップは、前記少なくとも１つの発色団の決定された分布と、前記偏光フィルタを外して得られる前記偏光した光を照射される前記人物の画像を表す受信画像データとを用いるステップを有する、請求項１１に記載の画像処理方法。
【請求項１３】
改訂された発色団の分布を表すデータを生成するよう前記少なくとも１つの発色団の決定された分布を処理するステップと、
決定された前記改訂された発色団の分布を用いて、照明状態に起因する外見の変化、及びコラーゲンの厚さの変化がないときに人物の外見を表す処理画像データを生成するステップと、
生成された前記処理画像データと、前記表される人物の皮膚での前記少なくとも１つの発色団の分布以外の他の要因による当該人物の皮膚の外見の変化とを用いて出力画像を生成するステップと
を更に有する請求項１１に記載の画像処理装置。
【請求項１４】
改訂された発色団の分布を表すデータを生成するよう前記少なくとも１つの発色団の決定された分布を処理するステップは、発色団の過剰な濃度を特定し、特定された前記発色団の過剰な濃度をくすませる機能を働かせることによって処理するステップを有する、請求項１３に記載の画像処理方法。
【請求項１５】
プログラミング可能なコンピュータに、請求項１乃至３のうちいずれか一項に記載の画像処理装置を構成させる、コンピュータがインタープリット可能な命令を記憶する記憶媒体。
【請求項１６】
プログラミング可能なコンピュータに、請求項８乃至１１のいずれか一項又は請求項１３若しくは１４に記載の画像処理方法を実行させる、コンピュータがインタープリット可能な命令を記憶する記憶媒体。